【事件の表示】
　平成１１年特許願第３７１３５３号「音声処理装置」拒絶査定に対する審判事件〔平成１２年　７月　４日出願公開、特開２０００−１８７４９０、請求項の数（３）〕について、次のとおり審決する。
【結　論】
　原査定を取り消す。
　本願の発明は、特許すべきものとする。
【理　由】
1． 本願発明
本願は、平成２年６月８日に出願した特願平２−１５０２５７号の一部を平成１１年１２月２７日に新たな出願としたものであって、その請求項１ないし３に係る発明は補正された明細書の記載からみて、本願の特許請求の範囲の請求項１ないし３に記載された次に掲げるものである。
「【請求項１】
　音声信号を入力する音声入力手段と、
　記憶装置に記憶されていて和音を発音させるための和音情報を読み出す和音情報読み出し手段と、
　和音を発音させるために前記読み出された和音情報を音源装置に出力する和音情報出力手段と、
　前記音声入力手段によって入力された音声信号の音高を、前記和音情報によって表された和音の複数の構成音のうちの一つの構成音に対応する音高に変換するための音高変換パラメータを生成する音高変換パラメータ生成手段と、
　前記音高変換パラメータに基づいて、前記音声入力手段によって入力された音声信号を前記和音の複数の構成音のうちの一つの構成音に対応する音高に音高変換し、同音高変換された音声信号を出力する音高変換手段と、
　前記音声入力手段によって入力された音声信号と、前記音高変換手段によって音高変換された音声信号とを混合するミキサと、
　前記ミキサによって混合された音声信号を出力する出力手段とを有することを特徴とする音声処理装置。（以下「第１発明」という。）
【請求項２】
　音声信号を入力する音声入力手段と、
　記憶装置に記憶されていて和音を発音させるための和音情報を読み出す和音情報読み出し手段と、
　和音を発音させるために前記読み出された和音情報を音源装置に出力する和音情報出力手段と、
　前記音声入力手段によって入力された音声信号の音高を、前記和音情報によって表された和音の複数の構成音に対応する複数の音高にそれぞれ変換するための音高変換パラメータを生成する音高変換パラメータ生成手段と、　　前記音高変換パラメータに基づいて、前記音声入力手段によって入力された音声信号を前記和音の複数の構成音にそれぞれ対応する複数の音高に音高変換し、同音高変換された複数の音声信号を出力する音高変換手段と、
　前記音声入力手段によって入力された音声信号と、前記音高変換手段によって音高変換された音声信号とを混合するミキサと、
　前記ミキサによって混合された音声信号を出力する出力手段とを有することを特徴とする音声処理装置。（以下「第２発明」という。）
【請求項３】
　音声信号を入力する音声入力手段と、
　記憶装置に記憶されていて和音を発音させるための和音情報を読み出す和音情報読み出し手段と、
　和音を発音させるために前記読み出された和音情報を音源装置に出力する和音情報出力手段と、
　前記音声入力手段によって入力された音声信号の音高を、前記和音情報によって表された和音の複数の構成音に対応する複数の音高にそれぞれ変換するための音高変換パラメータを生成する音高変換パラメータ生成手段と、　
　前記音高変換パラメータに基づいて、前記音声入力手段によって入力された音声信号を前記和音の異なる構成音の音高に短時間で切り換えながら音高変換し、同音高変換された音声信号を出力する音高変換手段と、
　前記音声入力手段によって入力された音声信号と、前記音高変換手段によって音高変換された音声信号とを混合するミキサと、
　前記ミキサによって混合された音声信号を出力する出力手段とを有することを特徴とする音声処理装置。（以下「第３発明」という。）」　　　　　　
２．刊行物記載の発明
　これに対して、原査定の拒絶の理由に引用された刊行物（刊行物の数は５）は、次に掲げるとおりであり、各刊行物には以下の事項が記載されている。
　刊行物１：特開昭６３−１７４０９６号公報
　刊行物２：特公昭６３−２５６７６号公報
　刊行物３：特開昭５９−１１６６９６号公報
　刊行物４：実願昭５８−２１０９０号（実開昭５９−１２６２９４号）のマイクロフィルム
　刊行物５：実公昭６３−３６４００号公報　　　　　　　　　　　　　　　
　刊行物１には、
「（１）可聴周波数信号のピッチを検出するピッチ検出手段と、音階信号を発生する音階信号源と、上記ピッチ検出手段で検出されたピッチと上記音階信号とを入力し上記検出されたピッチを上記音階信号のピッチに変換するために必要なピッチ変換量を決定する制御手段と、この制御手段からの上記ピッチ変換量に応じて上記可聴周波数信号のピッチを上記音階信号が表わすピッチに変換するピッチ変換手段とを、具備する電子楽器。
（２）上記音階信号源を、互いに異なるピッチの複数の音階信号を同時に生成するように構成し、かつ上記ピッチ変換手段を、上記可聴周波数信号を上記各音階信号が表わすそれぞれ異なるピッチに同時に変換するように構成したことを特徴とする特許請求の範囲第１項記載の電子楽器。
（４）上記音階信号が、シーケンサであることを特徴とする特許請求の範囲第１項または第２項記載の電子楽器。」（特許請求の範囲）
「この発明によれば、入力された可聴周波数信号のピッチを音階信号によって指定されたピッチに変更することができる。従って、例えば入力可聴周波数信号として、人の歌声を入力し、鍵盤により音階信号を発生させて、鍵盤を演奏すると、鍵盤により指定される音高が得られ、もとの人の歌声とコーラスさせることができる。」（２頁右上欄１５行ないし左下欄２行）と記載されている。
　刊行物２には、
「初心者でも簡単に重音演奏を楽しむことのできる電子楽器を提供することを目的とする。この目的の達成のために、この発明に係る電子楽器は、メロディ演奏部分と和音演奏部分とを含む鍵盤装置と、この鍵盤装置の和音演奏部分における鍵演奏に基づき和音を特定する和音特定手段と、前記鍵盤装置で演奏されたメロディ音の音名を前記和音特定手段によって特定された和音の根音を基準とする相対ノートに変換する変換手段と、メジャ、マイナ等の各和音種類毎に、各相対ノート夫々に対応して該相対ノートのみに基づいて決定される重音の音程度数を示す差分データを夫々記憶したテーブルを含み、このテーブルから前記和音特定手段によって特定された和音の種類に対応しかつ前記変換手段で変換された相対ノートに対応する前記差分データを読み出して出力する差分データ発生手段と、前記差分データ発生手段から出力される差分データおよび前記メロディ音を示すデータに基づき、該差分データが示す音程度数分だけ前記メロディ音から隔った音を示す重音データを形成する重音データ形成手段と、前記重音データ形成手段で形成された重音データに対応する楽音および前記鍵盤装置で演奏されたメロディ音並びに和音に対応する楽音を形成する楽音形成手段とを備えたものである。」（１頁右欄２１行ないし２頁左欄１８行）と記載されている。
　刊行物３には、
「メロディ演奏用鍵盤と、和音演奏用鍵盤と、これらのメロディ演奏用鍵盤及び和音演奏用鍵盤の押鍵に関連し互に異なる第１及び第２の付加音データを形成する付加音形成回路と、これらの付加音データに対応する楽音ならびに前記鍵盤で演奏されたメロディ音および和音を発生する楽音形成回路とを有する電子楽器において、前記メロディ音、第１の付加音および第２の付加音のレベルを別個に制御するレベル制御回路を設け、これらのメロディ音、第１の付加音および第２の付加音のレベルを異ならせることを特徴とする電子楽器。」（特許請求の範囲）
「この発明の目的は、上述の従来形における問題点に鑑み、電子楽器において、デュエットとして付加される第１付加音をメロディ音に対しレベルダウン（例えば３ｄＢ）させ、さらに、トリオとして付加される第２付加音を第１付加音よりさらにレベルダウン（例えば６ｄＢ）させるという構想に基づき、メロディを際立たせた効果的な自動重音付加演奏を行なわせることにある。」（１頁右下欄１５行ないし２頁左上欄２行）と記載されている。
　刊行物４には、
「あらかじめ記憶された複数音の旋律を自動演奏するポリフォニック自動演奏楽器と、このポリフォニック自動演奏楽器の出力旋律の一部およびマイクロホン入力が与えられ上記マイクロホン入力の周波数スペクトラムを検出し該周波数スペクトラムに上記ポリフォニック自動演奏楽器の出力の周波数スペクトラムを近似させた信号を得る音声分析合成回路と、この音声分析合成回路出力、上記ポリフォニック自動演奏楽器の出力および上記マイクロホン入力を同時に増幅再生する再生装置とを具備したことを特徴とするコーラスシンセサイザ。」（実用新案登録請求の範囲）と記載されている。
　刊行物５には、
「音程可変装置に於いて、複数の音響信号を切り換えスイッチによって選択し、選択された音響信号を周波数変換回路に印加し、周波数変換回路の出力と変換前の音響信号を加算回路で加算して出力する機能を付加したものであり、例えば歌声等の音響信号の場合には、異なる音程の歌声が加算されるため、コーラス効果あるいはハーモニー効果が得られるのである。」（２頁左欄１３行ないし２０行）と記載されている。　　　　　　　　　　　　　　　
３．本願の第１ないし第３発明と刊行物１ないし５に記載された発明との対比
　本願の第１ないし第３発明と刊行物１ないし５に記載された発明とを対比すると、刊行物１ないし５に記載された発明は、本願の第１ないし第３発明における次に掲げる主要な事項を備えておらず、また、当該事項を示唆する記載もなされていない。
　「記憶装置に記憶されていて和音を発音させるための和音情報を読み出す和音情報読み出し手段と、和音を発音させるために前記読み出された和音情報を音源装置に出力する和音情報出力手段と、
　音声入力手段によって入力された音声信号の音高を、前記和音情報によって表された和音の構成音に対応する音高に変換するための音高変換パラメータを生成し、前記音高変換パラメータに基づいて、前記音声入力手段によって入力された音声信号を前記和音の構成音に対応する音高に音高変換し、同音高変換された音声信号を出力する音高変換手段」
　そして、本願の第１ないし第３発明は、上記主要な事項により、明細書に記載された「歌唱者がメロディパートを歌うと、自動的に同メロディパートの音声信号を伴奏パートの音高に変換した、音楽的に適したハーモニーが得られると同時に、楽音信号による和音も自動的に発音されて、音楽的に適しかつ多彩な効果を得ることができる」という作用効果を奏するものであり、この点は前記各刊行物に記載のものからは期待することができない格別のものと認められる。　　　　　　　　　　　　　　　　　　　　　　　　　　　
４．むすび
　したがって、本願の第１ないし第３発明は、刊行物１ないし５に記載された発明に基づいて当業者が容易に発明をすることができたとすることはできない。
　また、他に本願を拒絶すべき理由を発見しない。
　よって、結論のとおり審決する。